(57)【要約】【課題】長時間経過しても開かなくなりづらく、仮に開かなくなっても簡単にメンテナンス可能な納骨堂の扉構造を提供する。【解決手段】納骨堂の扉構造は、背壁の両端に連設した左壁及び右壁をその上に載せる台石の前端よりも手前側に突出させた正面が開口した納骨室と、前記左壁及び前記右壁の突出させた内壁面に空けた窪みに嵌め込み可能な前記納骨室を塞ぐための扉ユニットと、前記扉ユニットの上であって前記台石よりも手前側に載せる蓋石と、を有する、ことを特徴とする。【選択図】図１
2019060137.tif 000002
【特許請求の範囲】
【請求項１】
背壁の両端に連設した左壁及び右壁をその上に載せる台石の前端よりも手前側に突出させた正面が開口した納骨室と、
前記左壁及び前記右壁の突出させた内壁面に空けた窪みに嵌め込み可能な前記納骨室を塞ぐための扉ユニットと、
前記扉ユニットの上であって前記台石よりも手前側に載せる蓋石と、を有する、
ことを特徴とする納骨堂の扉構造。
【請求項２】
前記扉ユニットは、左端に回転軸がある左扉体と、右端に回転軸がある右扉体と、前記左扉体及び前記右扉体を回動可能にそれらの上側を押さえる上板と、を有し、
前記納骨室の開口中心と前記扉ユニットの中心を合わせた上で、前記扉ユニットの中心から前記左扉体の回転軸までの距離及び前記右扉体の回転軸までの距離を計測して前記納骨室の底石に軸穴を空ける際の誤差が、前記左壁及び右壁の窪みで調整される、
ことを特徴とする請求項１に記載の納骨堂の扉構造。
【請求項３】
前記納骨室は、前記左扉体及び前記右扉体の位置からそれらが開く側に向かって前記底石に下傾斜が形成される、
ことを特徴とする請求項２に記載の納骨堂の扉構造。
【請求項４】
前記納骨室は、前記台石の前端を載せるために前記左壁から前記右壁へ渡すように梁石が設けられる、
ことを特徴とする請求項１乃至３の何れか一に記載の納骨堂の扉構造。
【請求項５】
背壁の両端に左壁及び右壁を連設して正面を開口させた納骨室の前記左壁及び前記右壁をその上に載せる台石の前端よりも手前側に突出させ、
前記左壁及び前記右壁の突出させた内壁面に空けた窪みに扉ユニットを嵌め込んで、前記扉ユニットの上であって前記台石よりも手前側に蓋石を載せるに際し、
前記扉ユニットを、左端に回転軸がある左扉体と、右端に回転軸がある右扉体と、前記左扉体及び前記右扉体を回動可能にそれらの上側を押さえる上板と、で構成し、
前記納骨室の開口中心と前記扉ユニットの中心を合わせた上で、前記扉ユニットの中心から前記左扉体の回転軸までの距離及び前記右扉体の回転軸までの距離を計測して前記納骨室の底石に軸穴を空ける際の誤差を、前記左壁及び右壁の窪みで調整する、
ことを特徴とする納骨堂の扉の設置方法。
【発明の詳細な説明】
【技術分野】
【０００１】
本発明は、お墓に骨壺を収容するための納骨堂の扉構造に関する。
【背景技術】
【０００２】
お墓は、様々な構造のものが存在するが、代表的なものとして、カロートと呼ばれる納骨堂の上を芝台（下台）で蓋をし、その上に台石（中台や上台など、芝台も含む）を重ねた上で石碑（竿台、石塔）を載せた構造などがある。特許文献１及び２に記載されているように、納骨堂の正面側にある開口部に扉を設けたものも公開されている。
【先行技術文献】
【特許文献】
【０００３】
【特許文献１】特開２００３−３４３１２０号公報
【特許文献２】特許第４８６１８６１号公報
【発明の概要】
【発明が解決しようとする課題】
【０００４】
しかしながら、特許文献１では、正面側を開口させた納骨堂の前側に、扉を有する別部材（供物台、花立台、水切石など）を置いて塞いでいるが、納骨堂自体に扉を取り付けていないので、その別部材を退ければ納骨室が開いてしまう。
【０００５】
また、特許文献２のように、納骨堂自体に扉を取り付けているが、納骨堂の上に石碑等の墓石が載った状態であると、扉が開かなくなる等、不具合が生じたときに簡単にメンテナンスすることができない。お墓は、屋外に設置されており、長い間、風雨に曝されているので、隙間に細かい土砂や塵埃などが詰まる等して扉が開かなくなる場合もある。
【０００６】
扉が開かなくなった場合、墓石にはそれぞれ重量があり、クレーン等で持ち上げたりすると、作業にかなりの手間を要する。これらの台石が載った状態で納骨堂に扉を取り付ける場合、特に、観音開きなど回動式の扉の場合、回転軸を通す穴の位置を正確に空けないと、扉の中心位置がずれたり、扉が開きづらくなったりするなどの不具合の原因となる。
【０００７】
そこで、本発明は、長時間経過しても開かなくなりづらく、仮に開かなくなっても簡単にメンテナンス可能な納骨堂の扉構造を提供することを目的とする。
【課題を解決するための手段】
【０００８】
上記の課題を解決するために、本発明である納骨堂の扉構造は、背壁の両端に連設した左壁及び右壁をその上に載せる台石の前端よりも手前側に突出させた正面が開口した納骨室と、前記左壁及び前記右壁の突出させた内壁面に空けた窪みに嵌め込み可能な前記納骨室を塞ぐための扉ユニットと、前記扉ユニットの上であって前記台石よりも手前側に載せる蓋石と、を有する、ことを特徴とする。
【０００９】
また、前記扉ユニットは、左端に回転軸がある左扉体と、右端に回転軸がある右扉体と、前記左扉体及び前記右扉体を回動可能にそれらの上側を押さえる上板と、を有し、前記納骨室の開口中心と前記扉ユニットの中心を合わせた上で、前記扉ユニットの中心から前記左扉体の回転軸までの距離及び前記右扉体の回転軸までの距離を計測して前記納骨室の底石に軸穴を空ける際の誤差が、前記左壁及び右壁の窪みで調整される、ことを特徴とする。
【００１０】
また、前記納骨室は、前記左扉体及び前記右扉体の位置からそれらが開く側に向かって前記底石に下傾斜が形成される、ことを特徴とする。
【００１１】
また、前記納骨室は、前記台石の前端を載せるために前記左壁から前記右壁へ渡すように梁石が設けられる、ことを特徴とする。
【００１２】
本発明である納骨堂の扉の設置方法は、背壁の両端に左壁及び右壁を連設して正面を開口させた納骨室の前記左壁及び前記右壁をその上に載せる台石の前端よりも手前側に突出させ、前記左壁及び前記右壁の突出させた内壁面に空けた窪みに扉ユニットを嵌め込んで、前記扉ユニットの上であって前記台石よりも手前側に蓋石を載せるに際し、前記扉ユニットを、左端に回転軸がある左扉体と、右端に回転軸がある右扉体と、前記左扉体及び前記右扉体を回動可能にそれらの上側を押さえる上板と、で構成し、前記納骨室の開口中心と前記扉ユニットの中心を合わせた上で、前記扉ユニットの中心から前記左扉体の回転軸までの距離及び前記右扉体の回転軸までの距離を計測して前記納骨室の底石に軸穴を空ける際の誤差を、前記左壁及び右壁の窪みで調整する、ことを特徴とする。
【発明の効果】
【００１３】
本発明によれば、長時間経過しても開かなくなりづらく、仮に開かなくなっても簡単にメンテナンスすることができる。納骨堂の扉が開きづらくなっても、石碑や台石などの墓石を動かすことなく、蓋石だけを取り外せば、扉ユニットの補修又は交換をすることができる。
【００１４】
観音開き扉であっても、扉の中心位置を決めてから軸穴を空ければ良く、回転軸と軸穴がずれないので、開きづらくなることがない。扉ユニットの嵌め込み先の溝に余裕を持たせることにより、誤差が吸収されるので、扉の位置がずれることもない。また、納骨堂の前に供物台、花立台、水切石などの別部材を置いて塞いでいる訳ではなく、納骨堂自体で扉を閉じることができる。
【図面の簡単な説明】
【００１５】
【図１】本発明である納骨堂の扉構造を有する墓所を示す斜視図である。
【図２】本発明である納骨堂の扉構造を有する墓所を示す正面図である。
【図３】本発明である納骨堂の扉構造を有する墓所を示す平面図である。
【図４】本発明である納骨堂の扉構造を有する墓所を示す右側面図である。
【図５】本発明である納骨堂の扉構造を有する墓石から蓋石を外した状態を示す斜視図ある。
【図６】本発明である納骨堂の扉構造を有する墓石から扉ユニットを外した状態を示す正面図である。
【図７】本発明である納骨堂の扉構造を有する墓石から扉ユニットを外した状態を示す平面図である。
【図８】本発明である納骨堂の扉構造を有する墓石に扉ユニットの扉体を取り付ける状況を示す斜視図である。
【図９】本発明である納骨堂の扉構造を有する墓石に扉ユニットの上板を取り付ける状況を示す斜視図である。
【図１０】本発明である納骨堂の扉構造を有する墓石に扉ユニットを取り付けた状態を示す斜視図である。
【発明を実施するための形態】
【００１６】
以下に、本発明の実施形態について図面を参照して詳細に説明する。なお、同一機能を有するものは同一符号を付け、その繰り返しの説明は省略する場合がある。
【実施例１】
【００１７】
まず、本発明である納骨堂の扉構造を有する墓所について説明する。図１は、納骨堂の扉構造を有する墓所を示す斜視図である。図２は、納骨堂の扉構造を有する墓所を示す正面図である。図３は、納骨堂の扉構造を有する墓所を示す平面図である。図４は、納骨堂の扉構造を有する墓所を示す右側面図である。
【００１８】
図１〜４に示すように、墓所１００は、一般的な例として、基礎工事により土台１１０を形成した上に砂利や通路となる敷石１４０を敷き、境界として四隅に柱石１３０を立てて周りを外柵１２０で囲んだ内側に、墓石２００を載置し、その他に墓誌１５０や塔婆立などを設置する。墓所１００における石材としては、耐久性があり長持ちしやすい御影石などが使用される。
【００１９】
墓石２００は、様々なタイプがあるが、例えば、納骨堂３００の上に台石２２０を重ね、その上に石碑２１０を載置する。なお、台石２２０は、上台２３０や下台２４０のように複数段になる場合もある。その他に、線香を置くための香炉２６０、花を供えるための花立２７０、水を供えるための水鉢２８０なども設置される。
【００２０】
納骨堂３００は、内部に骨壺を収納するための空間を有し、納骨室が地下式のものと地上式のものとがある。地下式の場合、雨水などが溜まりやすいため棚などを設置して高い位置に骨壺を置く場合もある。そのため、本実施例における納骨堂３００は地上式であり、底石５００が地面より高い位置であるため、納骨室の扉ユニット４００を開いて奥に骨壺を入れて載置すれば良い。
【００２１】
納骨堂３００は、納骨室の側面が壁石で囲まれ、上面には台石２２０が載せられる。ただし、納骨室の前部は、台石２２０では塞がず、台石２２０とは別の蓋石２５０を載せて塞ぐ。すなわち、壁石を正面側に突出させ、台石２２０の前端よりも扉ユニット４００が手前側に来るようにする。そして、扉ユニット４００を含む突出させた部分の上面を塞ぐように、台石２２０よりも前側に蓋石２５０を置けば良い。
【００２２】
扉ユニット４００は、納骨室の正面を開口させて骨壺を出し入れさせるために、納骨堂３００の正面側に開閉可能に設置される。扉ユニット４００は、納骨室を密閉すると共に、開閉動作を確保する必要がある。仮に開閉不能となった場合には、納骨堂３００の上面を開放して扉ユニット４００をメンテナンスすることとなる。
【００２３】
台石２２０及び石碑２１０は重なっているので、納骨堂３００の上面を開放するためには、上から順に持ち上げて移動させる必要がある。それに対し、蓋石２５０は、台石２２０や石碑２１０とは重ならないようにし、台石２２０や石碑２１０よりも石の厚さを比較的薄くし、重量も比較的軽くすることにより、容易に持ち上げて移動可能にする。
【００２４】
なお、香炉２６０、花立２７０及び水鉢２８０など墓石２００に付属させる備品については、小さく軽いため容易に移動可能であることから、台石２２０と蓋石２５０のどちらに載せても良い。
【００２５】
次に、本発明である納骨堂の扉構造について説明する。図５は、納骨堂の扉構造を有する墓石から蓋石を外した状態を示す斜視図ある。図６は、納骨堂の扉構造を有する墓石から扉ユニットを外した状態を示す正面図である。図７は、納骨堂の扉構造を有する墓石から扉ユニットを外した状態を示す平面図である。
【００２６】
図５に示すように、墓石２００において、扉ユニット４００をメンテナンス等する際は、納骨堂３００の扉ユニット４００の上面に載った蓋石２５０のみを取り外せば良い。台石２２０や石碑２１０は、そのまま動かす必要はない。なお、蓋石２５０と納骨堂３００とが弾性接着剤などで接着されている場合、接着剤を刃物で切ることにより取り外し可能である。
【００２７】
扉ユニット４００は、観音開きなど扉体を回動させて開閉するものであり、例えば、左扉体４１０、右扉体４２０、及び上板４３０などを有する。左扉体４１０と右扉体４２０の左右両側に軸を有し、左扉体４１０と右扉体４２０とが面方向に一直線上に並ぶことで閉じられ、中央側が左右両側へ回動することで開かれる。
【００２８】
扉ユニット４００は、納骨堂３００に一体化されている訳ではなく、納骨堂３００の一部品として着脱可能に嵌め込まれている。そのため、扉ユニット４００自体で左扉体４１０及び右扉体４２０における軸の回転動作が確保される。
【００２９】
左扉体４１０及び右扉体４２０は、正面に向かって開くので、左扉体４１０及び右扉体４２０の下面と底石５００とが擦れないように、底石５００には下傾斜５１０が付けられる。下傾斜５１０は、扉ユニット４００の位置から、左扉体４１０及び右扉体４２０が開く側に向かって底石５００に下向きの斜面が形成されれば良い。
【００３０】
図６に示すように、納骨堂３００から蓋石２５０を取り外した状態で、さらに納骨堂３００から扉ユニット４００も取り外せば良い。扉ユニット４００は、左扉体４１０、右扉体４２０、及び上板４３０に分解可能であり、それぞれに対して掃除等すれば良い。
【００３１】
左扉体４１０は、左端側に回転軸４６０を有し、上板４３０の左軸穴４４０及び底石５００の左軸穴５２０が、回転軸４６０が通る位置に空けられる。また、右扉体４２０は、右端側に回転軸４６０を有し、上板４３０の右軸穴４５０及び底石５００の右軸穴５３０が、回転軸４６０が通る位置に空けられる。
【００３２】
なお、回転軸４６０は、左扉体４１０又は右扉体４２０の上面から下面まで貫通して通っていても良いし、上板４３０と左扉体４１０又は右扉体４２０の間、及び底石５００と左扉体４１０又は右扉体４２０の間で、それぞれ回転が確保されるように軸体を有するものでも良い。
【００３３】
左扉体４１０と右扉体４２０とは、中央側の先端同士が前後に重なるように閉じても良いし、一方が他方の前側に延びて重なるように閉じても良い。また、中央側に取っ手を付けて開くようにしても良い。
【００３４】
図７に示すように、納骨堂３００は、納骨室の壁石として、背壁３１０と、背壁３１０の左端に正面に向かって連設した左壁３２０と、背壁３１０の右端に正面に向かって連設した右壁３３０とで、三方が囲まれる。なお、背壁３１０と左壁３２０、及び背壁３１０と右壁３３０の間は、柱状の石で繋げば良い。
【００３５】
左壁３２０及び右壁３３０は、台石２２０の前端よりも手前側（正面側）に突出させる。なお、左前角（隅）には左前柱３４０、右前角（隅）には右前柱３５０を配置するが、左壁３２０の突出部として左前柱３４０を、右壁３３０の突出部として右前柱３５０を設けても良い。また、左壁３２０の突出部と左前柱３４０を一体とし、右壁３３０の突出部と右前柱３５０を一体として扱っても良い。すなわち、左壁３２０又は右壁３３０と、左前柱３４０又は右前柱３５０とは、設置前は別部材であっても、設置後は取り外すことはなく、一体的に設置される。
【００３６】
左壁３２０の突出部には、内壁面に扉ユニット４００を嵌め込むための左窪み３６０が形成される。同様に、右壁３３０の突出部には、内壁面に扉ユニット４００を嵌め込むための右窪み３７０が形成される。左窪み３６０及び右窪み３７０は、扉ユニット４００が台石２２０よりも手前側に取り付けられるように、扉ユニット４００の形状に合わせて掘削される。
【００３７】
左壁３２０と右壁３３０を突出させることで、台石２２０の前端の支えが無くなることから、左壁３２０から右壁３３０へ渡すように梁石３８０を設け、台石２２０の前端を載せる。なお、梁石３８０の上面と、左壁３２０及び右壁３３０の上面とが、同じ高さになるように、左壁３２０及び右壁３３０に溝を形成して嵌め込めば良い。また、梁石３８０は、骨壺の収納に邪魔にならない厚さにする。
【００３８】
納骨堂３００は、納骨室の内底が低い位置にある場合は、棚石５４０を置いて底石５００と同等の高さまで嵩上げする。棚石５４０に骨壺などを載置する。なお、棚石５４０は、複数置いて段差を設けても良い。
【００３９】
壁石は、正面側が開口しており、底石５００には扉ユニット４００の回転軸４６０の位置に合わせて左軸穴５２０及び右軸穴５３０が空けられる。納骨堂３００に台石２２０等を載せた後であっても、扉ユニット４００の取付工事が可能である。
【００４０】
次に、本発明である納骨堂の扉の設置方法について説明する。図８は、納骨堂の扉構造を有する墓石に扉ユニットの扉体を取り付ける状況を示す斜視図である。図９は、納骨堂の扉構造を有する墓石に扉ユニットの上板を取り付ける状況を示す斜視図である。図１０は、納骨堂の扉構造を有する墓石に扉ユニットを取り付けた状態を示す斜視図である。
【００４１】
図８に示すように、納骨堂３００の底石５００上に背壁３１０、左壁３２０（左前柱３４０を含む）及び右壁３３０（右前柱３５０を含む）を固設し、開口した納骨室の正面に扉ユニット４００を設置する。なお、梁石３８０より後の位置に台石２２０及び石碑２１０が載った状態でも良い。
【００４２】
扉ユニット４００については、予め左扉体４１０及び右扉体４２０に回転軸４６０が通る位置に軸穴を空け、上板４３０にも左軸穴４４０及び右軸穴４５０を回転軸４６０が通る位置に合わせて空けておく。左扉体４１０については、右端面から回転軸４６０までの距離を回動半径として計測しておき、同様に、右扉体４２０については、左端面から回転軸４６０までの距離を回動半径として計測しておく。
【００４３】
扉ユニット４００を取り付けるにあたり、扉ユニット４００の中心位置と、納骨室の開口部の中心位置とを合わせる。なお、左扉体４１０と右扉体４２０とが左右対称であれば、左扉体４１０の右端面と右扉体４２０の左端面とが接触する位置が中心となる。
【００４４】
納骨室の開口部の中心位置から左扉体４１０の回動半径だけ左方向に進んだ位置が、底石５００の左軸穴５２０の位置となれば良い。また、納骨室の開口部の中心位置から右扉体４２０の回動半径だけ右方向に進んだ位置が、底石５００の右軸穴５３０の位置となれば良い。
【００４５】
左壁３２０に空けた左窪み３６０、及び右壁３３０に空けた右窪み３７０に嵌め込むように、左扉体４１０及び右扉体４２０を配置する。左扉体４１０の回転軸４６０を底石５００の左軸穴５２０に通し、左扉体４１０の回動を確保する。また、右扉体４２０の回転軸４６０を底石５００の右軸穴５３０に通し、右扉体４２０の回動を確保する。
【００４６】
左窪み３６０及び右窪み３７０は、左扉体４１０及び右扉体４２０を収容するための縦溝と、上板４３０を収容するための横溝が空けられ、左扉体４１０及び右扉体４２０の回動を妨げないように、扉ユニット４００を支持すれば良い。
【００４７】
図９に示すように、左扉体４１０及び右扉体４２０の上に上板４３０を載置する。左壁３２０に空けた左窪み３６０、及び右壁３３０に空けた右窪み３７０に嵌め込むように、上板４３０を配置する。
【００４８】
上板４３０の左軸穴４４０に左扉体４１０の回転軸４６０を通し、左扉体４１０の回動を確保する。また、上板４３０の右軸穴４５０に右扉体４２０の回転軸４６０を通し、右扉体４２０の回動を確保する。上板４３０で左扉体４１０及び右扉体４２０を回動可能に押さえ付ける。
【００４９】
図１０に示すように、納骨堂３００に扉ユニット４００が取り付けられ、上板４３０と左窪み３６０及び右窪み３７０との間には弾性接着剤などを注入して固定する。なお、左窪み３６０及び右窪み３７０を扉ユニット４００よりも大きめに空けておき、扉ユニット４００と左窪み３６０及び右窪み３７０の間に余裕を持たせる。
【００５０】
扉ユニット４００の中心位置、底石５００に空ける左軸穴５２０及び右軸穴５３０の位置、上板４３０の位置などを調整したとしても、その誤差を左窪み３６０及び右窪み３７０で吸収すれば良い。そのため、扉ユニット４００の各部材を正確な位置で取り付けることが可能である。
【００５１】
扉ユニット４００の上に蓋石２５０を載せることで、納骨堂３００が密閉される。扉ユニット４００には蓋石２５０の荷重しか掛かっておらず、扉ユニット４００の開閉には影響を及ぼさない。扉ユニット４００の各部材に位置ズレがないので、それによって開きづらくなることもない。
【００５２】
蓋石２５０を取り外せば扉ユニット４００のメンテナンスが可能であり、左窪み３６０及び右窪み３７０の隙間に注入された弾性接着剤などを切り取り、扉ユニット４００を取り外して掃除や交換などをすれば良い。
【００５３】
本発明によれば、長時間経過しても開かなくなりづらく、仮に開かなくなっても簡単にメンテナンスすることができる。納骨堂３００の扉が開きづらくなっても、石碑２１０や台石２２０などの墓石２００を動かすことなく、蓋石２５０だけを取り外せば、扉ユニット４００の補修又は交換をすることができる。
【００５４】
観音開き扉であっても、扉ユニット４００の中心位置を決めてから底石５００の軸穴５２０、５３０を空ければ良く、回転軸４６０と軸穴５２０、５３０がずれないので、開きづらくなることがない。扉ユニット４００の嵌め込み先の窪み３６０，３７０に余裕を持たせることにより、誤差が吸収されるので、扉ユニット４００の位置がずれることもない。また、納骨堂３００の前に供物台、花立台、水切石などの別部材を置いて塞いでいる訳ではなく、納骨堂３００自体で扉を閉じることができる。
【００５５】
以上、本発明の実施例を述べたが、これらに限定されるものではない。例えば、扉ユニット４００は、観音開き扉だけではなく、手前側に回動する一枚扉であっても適用することができる。
【符号の説明】
【００５６】
１００：墓所
１１０：土台
１２０：外柵
１３０：柱石
１４０：敷石
１５０：墓誌
２００：墓石
２１０：石碑
２２０：台石
２３０：上台
２４０：下台
２５０：蓋石
２６０：香炉
２７０：花立
２８０：水鉢
３００：納骨堂
３１０：背壁
３２０：左壁
３３０：右壁
３４０：左前柱
３５０：右前柱
３６０：左窪み
３７０：右窪み
３８０：梁石
４００：扉ユニット
４１０：左扉体
４２０：右扉体
４３０：上板
４４０：左軸穴
４５０：右軸穴
４６０：回転軸
５００：底石
５１０：下傾斜
５２０：左軸穴
５３０：右軸穴
５４０：棚石
【図１】
2019060137.tif 000003
【図２】
2019060137.tif 000004
【図３】
2019060137.tif 000005
【図４】
2019060137.tif 000006
【図５】
2019060137.tif 000007
【図６】
2019060137.tif 000008
【図７】
2019060137.tif 000009
【図８】
2019060137.tif 000010
【図９】
2019060137.tif 000011
【図１０】
2019060137.tif 000012
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
正面が開口するように背壁の両端に左壁及び右壁を連設し、その上に載せる台石の前端よりも前記左壁及び前記右壁を手前側に突出させた上面が開放された左突出部及び右突出部を有する納骨室と、
前記左突出部及び前記右突出部の内壁面に空けた左窪み及び右窪みに着脱可能に嵌め込まれた前記納骨室の正面を塞ぐための扉ユニットと、
前記扉ユニットを含む前記左突出部及び前記右突出部の上面を塞ぐように、前記台石よりも手前側に取り外し可能に載せた蓋石と、を備えた納骨堂の扉構造であって、
前記扉ユニットは、左端に回転軸がある左扉体と、右端に回転軸がある右扉体と、前記左扉体及び前記右扉体を回動可能にそれらの上側を押さえる上板と、を有し、
前記左窪み及び前記右窪みは、前記左扉体及び前記右扉体をその回動を妨げずに収容するための縦溝と、前記上板を収容するための横溝とが、前記上板の位置を調整したときの誤差を吸収可能に空けられる、
ことを特徴とする納骨堂の扉構造。
【請求項２】
前記納骨室の開口中心と前記扉ユニットの中心を合わせた上で、前記扉ユニットの中心から前記左扉体の回転軸までの距離及び前記右扉体の回転軸までの距離を計測して前記上板の左軸穴及び右軸穴と前記納骨室の底石の左軸穴及び右軸穴を空けたときに、前記横溝に対して調整された前記上板の位置の誤差が吸収される、
ことを特徴とする請求項１に記載の納骨堂の扉構造。
【請求項３】
前記納骨室は、前記左扉体及び前記右扉体の下面が前記底石と擦れないように、前記左扉体及び前記右扉体の位置からそれらが開く側に向かって前記底石に下傾斜が形成される、
ことを特徴とする請求項１又は２に記載の納骨堂の扉構造。
【請求項４】
前記納骨室は、前記左壁及び前記右壁を突出させることで支えが無くなった前記台石の前端を載せるために前記左壁から前記右壁へ渡すように設けられた梁石を有し、
前記梁石は、上面が前記左壁及び前記右壁と同じ高さであり、前記納骨室に骨壺が収納可能な厚さである、
ことを特徴とする請求項１乃至３の何れか一に記載の納骨堂の扉構造。
【請求項５】
納骨室の正面が開口するように背壁の両端に左壁及び右壁を連設し、その上に載せる台石の前端よりも前記左壁及び前記右壁を手前側に突出させた上面が開放された左突出部及び右突出部を設け、
前記左突出部及び前記右突出部の内壁面に空けた左窪み及び右窪みに着脱可能に扉ユニットを嵌め込んで前記納骨室の正面を塞ぎ、
前記扉ユニットを含む前記左突出部及び前記右突出部の上面を塞ぐように、前記台石よりも手前側に取り外し可能に蓋石を載せるに際し、
前記左窪み及び前記右窪みは、前記扉ユニットの左扉体及び右扉体をその回動を妨げずに収容するための縦溝と、前記左扉体及び前記右扉体を回動可能にそれらの上側を押さえる上板を収容するための横溝とを、前記上板の位置を調整したときの誤差を吸収可能に空ける、
ことを特徴とする納骨堂の扉の設置方法。
【手続補正２】
【補正対象書類名】明細書
【補正対象項目名】０００８
【補正方法】変更
【補正の内容】
【０００８】
上記の課題を解決するために、本発明である納骨堂の扉構造は、正面が開口するように背壁の両端に左壁及び右壁を連設し、その上に載せる台石の前端よりも前記左壁及び前記右壁を手前側に突出させた上面が開放された左突出部及び右突出部を有する納骨室と、前記左突出部及び前記右突出部の内壁面に空けた左窪み及び右窪みに着脱可能に嵌め込まれた前記納骨室の正面を塞ぐための扉ユニットと、前記扉ユニットを含む前記左突出部及び前記右突出部の上面を塞ぐように、前記台石よりも手前側に取り外し可能に載せた蓋石と、を備えた納骨堂の扉構造であって、前記扉ユニットは、左端に回転軸がある左扉体と、右端に回転軸がある右扉体と、前記左扉体及び前記右扉体を回動可能にそれらの上側を押さえる上板と、を有し、前記左窪み及び前記右窪みは、前記左扉体及び前記右扉体をその回動を妨げずに収容するための縦溝と、前記上板を収容するための横溝とが、前記上板の位置を調整したときの誤差を吸収可能に空けられる、ことを特徴とする。
【手続補正３】
【補正対象書類名】明細書
【補正対象項目名】０００９
【補正方法】変更
【補正の内容】
【０００９】
また、前記納骨堂の扉構造は、前記納骨室の開口中心と前記扉ユニットの中心を合わせた上で、前記扉ユニットの中心から前記左扉体の回転軸までの距離及び前記右扉体の回転軸までの距離を計測して前記上板の左軸穴及び右軸穴と前記納骨室の底石の左軸穴及び右軸穴を空けたときに、前記横溝に対して調整された前記上板の位置の誤差が吸収される、ことを特徴とする。
【手続補正４】
【補正対象書類名】明細書
【補正対象項目名】００１０
【補正方法】変更
【補正の内容】
【００１０】
また、前記納骨室は、前記左扉体及び前記右扉体の下面が前記底石と擦れないように、前記左扉体及び前記右扉体の位置からそれらが開く側に向かって前記底石に下傾斜が形成される、ことを特徴とする。
【手続補正５】
【補正対象書類名】明細書
【補正対象項目名】００１１
【補正方法】変更
【補正の内容】
【００１１】
また、前記納骨室は、前記左壁及び前記右壁を突出させることで支えが無くなった前記台石の前端を載せるために前記左壁から前記右壁へ渡すように設けられた梁石を有し、前記梁石は、上面が前記左壁及び前記右壁と同じ高さであり、前記納骨室に骨壺が収納可能な厚さである、ことを特徴とする。
【手続補正６】
【補正対象書類名】明細書
【補正対象項目名】００１２
【補正方法】変更
【補正の内容】
【００１２】
本発明である納骨堂の扉の設置方法は、納骨室の正面が開口するように背壁の両端に左壁及び右壁を連設し、その上に載せる台石の前端よりも前記左壁及び前記右壁を手前側に突出させた上面が開放された左突出部及び右突出部を設け、前記左突出部及び前記右突出部の内壁面に空けた左窪み及び右窪みに着脱可能に扉ユニットを嵌め込んで前記納骨室の正面を塞ぎ、前記扉ユニットを含む前記左突出部及び前記右突出部の上面を塞ぐように、前記台石よりも手前側に取り外し可能に蓋石を載せるに際し、前記左窪み及び前記右窪みは、前記扉ユニットの左扉体及び右扉体をその回動を妨げずに収容するための縦溝と、前記左扉体及び前記右扉体を回動可能にそれらの上側を押さえる上板を収容するための横溝とを、前記上板の位置を調整したときの誤差を吸収可能に空ける、ことを特徴とする。